(57)【要約】【課題】薬液と空気との混合が安定し、噴霧された混合流体が漂流飛散し難くした噴霧ノズルを提供する。【解決手段】噴霧ノズル1Aでは、供給管19を流れる薬液は、オリフィス中子9の薬液流路51を通ることで、旋回流となって、ドーム絞り部47内に流込み、旋回流を維持しながら混合室27の円筒部27a内に流れる。これにより、オリフィス板7のピンホール49から円筒部27aへと流れる薬液の流れが整流されて、円筒部27aにおける薬液と空気との混合状態を安定させる。また、混合流体は、整流中子5の案内流路37,37を介して、先端幅が縮小した整流突起部39と先噴板11の筋状絞り部57との間隙を通過し、スリット59から外部に噴霧される。これにより、ドリフトの影響を受け易い過剰に微細な噴霧粒子の割合や、拡散し難い過剰に粒子径の大きな噴霧粒子の割合が少なく、噴霧に適した粒子径を大部分とする噴霧粒子となって、噴霧ノズル1Aの外部へと噴霧される。【選択図】図３
2019025432.tif 000002
【特許請求の範囲】
【請求項１】
薬液と空気とを混合した混合流体を霧状に散布する噴霧ノズルであって、
基端側に配置され、前記薬液と前記空気とが混合する混合室と、該混合室から先端側に延びる流路と、前記混合室内に外部から空気を導入する導入路とが形成されたノズルホルダと、
前記ノズルホルダの先端側に配置され、前記流路から前記混合流体を受けて、前記混合流体を噴射するスリットが形成された先噴板と、
前記ノズルホルダの先端に前記先噴板を保持するノズルキャップと、
前記先噴板と前記ノズルホルダとの間に配置され、前記流路から前記混合流体を受けて、前記混合流体を前記先噴板の前記スリットへと案内する複数の案内流路が形成された整流中子と、
前記混合室の前記流路と前記導入路との合流位置よりも前記流路の上流側に配置され、かつ、上流側から前記薬液を受けて前記混合室に前記薬液を供給するピンホールが形成されたオリフィス板と、
前記オリフィス板よりも前記流路の上流側に設けられ、前記薬液が流れる薬液流路が形成されたオリフィス中子と、を備え、
前記先噴板には、下流側に向けて筋状に突出する筋状絞り部が形成され、該筋状絞り部を横切る態様で前記スリットが形成されており、
前記整流中子には、前記先噴板の前記スリットに向けて先端幅が縮小する態様で整流突起部が形成され、かつ、該整流突起部を構成する壁面が前記複数の案内流路を構成する壁面の下流側に配置されており、
前記オリフィス板には、下流側へ向けてドーム状に突出するドーム状絞り部が形成され、該ドーム状絞り部の頂部に前記ピンホールが形成されていることを特徴とする噴霧ノズル。
【請求項２】
前記オリフィス中子の前記薬液流路は、前記ノズルホルダの前記流路の延長方向軸に対して傾斜していることを特徴とする請求項１に記載の噴霧ノズル。
【請求項３】
前記オリフィス中子の前記薬液流路は、前記ノズルホルダの軸方向に延びていることを特徴とする請求項１に記載の噴霧ノズル。
【請求項４】
前記ノズルホルダの前記流路は、下流側で分岐しており、分岐した各々の前記流路の下流側に前記先噴板と、前記ノズルキャップと、前記整流中子とが配置されていることを特徴とする請求項１乃至３のいずれか１項に記載の噴霧ノズル。
【請求項５】
前記整流中子の前記整流突起部は、前記先噴板の前記筋状絞り部の凹面との係合面を有し、かつ、前記整流中子と離間した位置に、前記筋状絞り部の凹面と係合する位置決め突起部を備えていることを特徴とする請求項１乃至４のいずれか１項に記載の噴霧ノズル。
【請求項６】
前記ノズルホルダと前記整流中子との当接部分に、相補的な凹凸形状を有する位置決め部が形成されていることを特徴とする請求項１乃至５のいずれか１項に記載の噴霧ノズル。
【発明の詳細な説明】
【技術分野】
【０００１】
本発明は、薬液と空気とを混合した混合流体を散布する噴霧ノズルに関するものである。
【背景技術】
【０００２】
従来、薬液と空気とを混合した混合流体を散布するための噴霧ノズルが知られている。例えば、特許文献１には、液体が流れる流路及びこの流路に外部から空気を取り入れる空気取り入れ口を備えたノズルホルダと、このノズルホルダの内部に配置され、小孔を形成したオリフィス板と、ノズルホルダの上部（下流側）に取付けられた外噴板とを備えた噴霧ノズルが開示されている。この噴霧ノズルは、圧送管から流れた薬液がオリフィス板の小孔を通り、空気取り入れ口から外部の空気と液体とを混合して、流路に流れ、外噴板から一方向に向かって噴霧される。
【０００３】
また、図１０に示す噴霧ノズル１０１では、ノズル本体１０２が下流側で二股状に分岐しており、混合流体を二方向に散布することを可能にしている。この二方向に散布する１噴霧ノズル１０１の噴霧パターンは、第１噴射口１０３及び第２噴射口１０４を正面視したとき（図１０（ａ）参照）、第１噴射口１０３及び第２噴射口１０４からの混合流体が細長い線状に噴霧されており、第１噴射口１０３及び第２噴射口１０４を側面視したとき（図１０（ｂ）参照）、第１噴射口１０３及び第２噴射口１０４からの混合流体が広い扇状に噴霧さている。
【先行技術文献】
【特許文献】
【０００４】
【特許文献１】特許第４５２３４８４号
【発明の概要】
【発明が解決しようとする課題】
【０００５】
しかしながら、特許文献１に記載された噴霧ノズルでは、次のような問題がある。
この従来例では、オリフィス板の小孔の径が小さいため、小孔を通過した薬液と外部の空気との混合が不安定になることがある。これにより、外噴板から噴霧される混合流体の粒子がばらつき、更に、噴霧された混合流体が空気中に浮遊し、風によって漂流飛散する、いわゆる、ドリフト現象が起き、噴霧パターンが乱れてしまう虞がある。
【０００６】
一方、図１０に示される二方向に噴霧する噴霧ノズルでは、混合流体が前後二層になって広い扇状に噴霧さているため、風によって漂流飛散し、噴霧パターンが乱れてしまう虞がある。
【０００７】
本発明は、上記課題に鑑みてなされたものであり、薬液と空気との混合が安定し、噴霧された混合流体が漂流飛散し難くした噴霧ノズルを提供することにある。
【課題を解決するための手段】
【０００８】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、または、さらに他の構成要素を付加した態様についても、本発明の一態様になり得るものである。
【０００９】
（１）薬液と空気とを混合した混合流体を霧状に散布する噴霧ノズルであって、
基端側に配置され、前記薬液と前記空気とが混合する混合室と、該混合室から先端側に延びる流路と、前記混合室内に外部から空気を導入する導入路とが形成されたノズルホルダと、
前記ノズルホルダの先端側に配置され、前記流路から前記混合流体を受けて、前記混合流体を噴射するスリットが形成された先噴板と、
前記先噴板と前記ノズルホルダとの間に配置され、前記流路から前記混合流体を受けて、前記混合流体を前記先噴板の前記スリットへと案内する複数の案内流路が形成された整流中子と、
前記混合室の前記流路と前記導入路との合流位置よりも前記流路の上流側に配置され、かつ、上流側から前記薬液を受けて前記混合室に前記薬液を供給するピンホールが形成されたオリフィス板と、
前記オリフィス板よりも前記流路の上流側に設けられ、前記薬液が流れる薬液流路が形成されたオリフィス中子と、を備え、
前記先噴板には、下流側に向けて筋状に突出する筋状絞り部が形成され、該筋状絞り部を横切る態様で前記スリットが形成されており、
前記整流中子には、前記先噴板の前記スリットに向けて先端幅が縮小する態様で整流突起部が形成され、かつ、該整流突起部を構成する壁面が前記複数の案内流路を構成する壁面の下流側に配置されており、
前記オリフィス板には、下流側へ向けてドーム状に突出するドーム状絞り部が形成され、該ドーム状絞り部の頂部に前記ピンホールが形成されている噴霧ノズル（請求項１）。
【００１０】
本項に係る噴霧ノズルの先端側においては、先噴板とノズルホルダとの間に、配置された整流中子に先噴板のスリットへと案内する複数の案内流路が形成されていることから、この複数の案内路を介して、ノズルホルダの流路を流れる混合流体が先噴板のスリットに向かって案内されるものである。また、噴霧ノズルは、先噴板に下流側に向けて筋状に突出する筋状絞り部が形成され、この筋状絞り部にスリットが形成されていることで、整流中子の案内流路を流れる混合流体は、筋状絞り部に集まり、筋状絞り部のスリットを介して、噴霧ノズルの外部へと噴霧されるものとなる。
【００１１】
しかも、本項に係る噴霧ノズルにおいて、整流中子には、筋状絞り部に形成されたスリットに向けて先端幅が縮小する整流突起部が形成されていることから、整流中子の案内流路を通過してスリットに向かう混合流体は、案内流路を構成する壁面の下流側に配置された、整流突起部を構成する壁面に沿って案内され、筋状絞り部に向けて円滑に流れて行く。そして、混合流体は、筋状絞り部と、整流中子に形成された整流突起部との間の間隙を流れて、筋状絞り部に形成されたスリットを通過する。スリットを通過した混合流体は、粒子径のばらつきが少ない、すなわち、ドリフトの影響を受け易い過剰に微細な噴霧粒子の割合や、拡散し難い過剰に粒子径の大きな噴霧粒子の割合が少なく、噴霧に適した粒子径を大部分とする噴霧粒子となって、噴霧ノズルの外部へと噴霧されるものとなる。
【００１２】
更に、噴霧ノズルの基端部においては、混合室の流路と導入路との合流位置よりも流路の上流側に配置されたオリフィス板に、ピンホールが形成されていることから、オリフィス板の上流側の薬液は、ピンホールを介して混合室に供給されるものである。オリフィス板への薬液の供給は、オリフィス板よりも流路の上流側に位置するオリフィス中子の薬液流路を介してオリフィス板へと供給され、オリフィス板に形成された下流側へ向けてドーム状に突出するドーム状絞り部のドームの頂に薬液が集まり、ドーム状絞り部の頂部に形成されたピンホールからノズルホルダの混合室に向かって円滑に流れるものとなる。
【００１３】
（２）上記（１）において、前記オリフィス中子の前記薬液流路は、前記ノズルホルダの前記流路の延長方向軸に対して傾斜している噴霧ノズル（請求項２）。
【００１４】
本項に係る噴霧ノズルにおいて、オリフィス中子の薬液流路がノズルホルダの流路の延長方向軸に対して傾斜するように形成されていることで、薬液流路を通った薬液は、薬液流路通過前の流れ状態の如何にかかわらず、薬液流路によって流れ方向が矯正され、オリフィス中子の下流側で旋回流となる。この旋回流は、オリフィス板のドーム状絞り部のドーム内においても維持され、オリフィス板のピンホールから混合室へと流れる薬液の流れが整流されることで、混合室における薬液と空気との混合状態を安定させるものとなる。
【００１５】
（３）上記（１）において、前記オリフィス中子の前記薬液流路は、前記ノズルホルダの軸方向に延びている噴霧ノズル（請求項３）。
【００１６】
本項に係る噴霧ノズルにおいて、オリフィス中子の薬液流路がノズルホルダの軸方向に延びるように形成されていることで、薬液流路を通った薬液は、薬液流路通過前の流れ状態の如何にかかわらず、薬液流路によって流れ方向が矯正される。この流れ方向の矯正により、オリフィス板のピンホールから混合室へと流れる薬液の流れが整流され、混合室における薬液と空気との混合状態を安定させるものとなる。
【００１７】
（４）上記（１）乃至（３）のいずれか１項において、前記ノズルホルダの前記流路は、下流側で分岐しており、分岐した各々の前記流路の下流側に前記先噴板と、前記ノズルキャップと、前記整流中子とが配置されている噴霧ノズル（請求項４）。
【００１８】
本項に係る噴霧ノズルにおいて、ノズルホルダの流路が下流側で分岐することで、分岐した各方向において上記作用を得て、混合流体を互いに異なる方向に同時に散布するものなる。
【００１９】
（５）上記（１）又は（４）項において、前記整流中子の前記整流突起部は、前記先噴板の前記筋状絞り部の凹面との係合面を有し、かつ、前記整流中子と離間した位置に、前記筋状絞り部の凹面と係合する位置決め突起部を備えている噴霧ノズル（請求項５）。
【００２０】
本項に係る噴霧ノズルにおいて、整流中子は、整流突起部の係合面が筋状絞り部の凹面と係合し、なおかつ、先噴板の筋状絞り部の凹面と係合する位置決め突起部を整流中子と離間した位置に備えて、位置決め突起部と筋状絞り部の凹面との係合により、複数の位置で、整流中子と先噴板との位置決めが行われるものである。従って、先噴板の筋状絞り部に形成されたスリットと、整流中子に形成された整流突起部との位置合わせが高精度になされ、上記作用がより安定確実に得られるものとなる。
【００２１】
（６）上記（１）乃至（５）項のいずれか１項において、前記ノズルホルダと前記整流中子との当接部分に、相補的な凹凸形状を有する位置決め部が形成されている噴霧ノズル（請求項６）。
【００２２】
本項に係る噴霧ノズルにおいて、ノズルホルダと整流中子との当接部分に、相補的な凹凸形状を有する位置決め部を形成することで、ノズルホルダと整流中子との位置ずれを防ぎ、また、整流中子がノズルホルダからの脱落を防ぐものとなる。例えば、整流中子の位置決め部は、整流突起部が形成された表面の反対側の表面（上流側の表面）からノズルホルダの軸方向に沿って延びた円柱状の複数の突起である。また、ノズルホルダの位置決め部は、ノズルホルダの先端側の端面から基端部に向かって軸方向に延びた円形状の複数の穴であり、この穴は、複数の突起を挿入可能な深さ、かつ、嵌合可能な直径で形成される。
【発明の効果】
【００２３】
本発明によれば、薬液と空気との混合が安定し、噴霧された混合流体が漂流飛散し難くした噴霧ノズルを提供することができる。
【図面の簡単な説明】
【００２４】
【図１】本発明の第１実施形態に係る噴霧ノズルの斜視図である。
【図２】図１に示す噴霧ノズルの平面図である。
【図３】図１に示す噴霧ノズルの断面図であり、（ａ）は、図２のＡ−Ａ線に沿う断面図であり、（ｂ）は、図２のＢ−Ｂ線に沿う断面図である。
【図４】図１に示す噴霧ノズルの分解図である。
【図５】図１に示す噴霧ノズルの先噴板から噴霧された混合流体の噴霧パターンを模式的に示した図である。
【図６】本発明の第２実施形態に係る噴霧ノズルの斜視図である。
【図７】図６に示す噴霧ノズルの断面図である。
【図８】図６に示す噴霧ノズルの分解図である。
【図９】図６に示す噴霧ノズルの先噴板から噴霧された混合流体の噴霧パターンを模式的に示した図である。
【図１０】二方向に噴霧する従来の噴霧ノズルの噴霧パターンを模式的に示し、（ａ）は、噴霧ノズルの正面視における噴霧パターンであり、（ｂ）は、噴霧ノズルの側面視における噴霧パターンある。
【発明を実施するための形態】
【００２５】
以下、本発明の第１実施形態に係る噴霧ノズルの構成を図１〜図５に基づいて詳細に説明する。
本発明の第１実施形態に係る噴霧ノズル１Ａは、薬液と空気とを混合した混合流体を所定の範囲に散布するものである。
図４に示すように、噴霧ノズル１Ａは、ノズルホルダ３と、整流中子５と、オリフィス板７と、オリフィス中子９と、先噴板１１と、ノズルキャップ１３と、Ｏリング１５と、連結具１７と、を備えている。
【００２６】
ノズルホルダ３は、略円筒状をなしており、基端側が連結具１７（後述参照）を介して供給管１９に連結されている。このノズルホルダ３は、先端側の外周部にノズルキャップ１３の雌ねじ部６３（後述参照）と螺合する雄ねじ部２１（図３及び図４参照）が形成され、また、先端側の端面に平面視略円形状の凹部２３が形成されている。更に、ノズルホルダ３の基端側には、その外周部から径方向外側に広がるフランジ部２５が形成されている。また、図４に示されているように、ノズルホルダ３は、混合室２７と、流路２９と、導入路３１と、位置決め穴３３（位置決め部）と、大径部３５と、を備えている。混合室２７は、薬液と空気とを混合させる場所であり、ノズルホルダ３の基端側に形成されている。この混合室２７は、円筒部２７ａと、下流側に向かって縮径した縮径部２７ｂとからなり、少なくとも円筒部２７ａ内で薬液と空気とを混合させる。流路２９は、混合室２７の縮径部２７ｂに連通しており、混合室２７からノズルホルダ３の先端側に向かって軸方向に延びている。導入路３１は、ノズルホルダ３の基端側の外壁部を貫通して、混合室２７の円筒部２７ａに連通するように複数形成されている（本実施形態では２つ）。この導入路３１は、オリフィス板７のピンホール４９（すなわち、オリフィス板の頂、後述参照）より下流側に位置するものである。位置決め穴３３は、平面視略円形状であり、ノズルホルダ３の凹部２３の底面に複数形成され（本実施形態では２つ）、凹部２３の底面から基端側に向かって軸方向に延びて（混合室２７には至らない）形成されている。また、この位置決め穴３３は、整流中子５の一対の第１の位置決め突起部４５，４５（後述参照）を挿入可能な深さ、かつ、嵌合可能な直径で形成されている。大径部３５は、混合室２７より上流側に形成されており、この大径部３５にオリフィス板７及びオリフィス中子９が収納されている。
【００２７】
整流中子５は、略平板状をなしており、噴霧ノズル１Ａの下流側に設けられ、具体的には、ノズルホルダ３の先端側の端面上に配置されている（図３参照）。この整流中子５は、案内流路３７を備え、下流側の表面に整流突起部３９及び一対の第１の位置決め突起部４１，４１が形成され、上流側の表面に隆起部４３及び一対の第２の位置決め突起部４５，４５（位置決め部）が形成されている。案内流路３７は、ノズルホルダ３の流路２９を流れる混合流体を先噴板１１のスリット５９（後述参照）に案内するものであり、複数形成されている（本実施形態では２つ）。整流突起部３９は、正面視山形状、すなわち、先噴板１１のスリット５９に向けて先端幅が縮小する突起部である（図３（ａ）及び図４参照）。この整流突起部３９は、上流側の表面の略中央に配置され、整流突起部３９の壁面が複数の案内流路３７を構成する壁面の下流側に配置されている。一対の第１の位置決め突起部４１，４１は、先噴板１１の筋状絞り部５７（後述参照）に向けて延び、平面視で案内流路３７及び整流突起部３９と直列になるように配置されている（図４参照）。隆起部４３は、ノズルホルダ３の流路２９に対向するように、略中央からノズルホルダ３の凹部２３内に向かって延びており、案内流路３７，３７との間に配置されている。一対の第２の位置決め突起部４５，４５は、略円柱状であり、複数形成され（本実施形態では２つ）、整流中子５の上流側の表面からノズルホルダ３の軸方向に沿って延びている。
【００２８】
オリフィス板７は、ドーム状をなしており、ノズルホルダ３の上流側、具体的には、混合室２７の円筒部２７ａと導入路３１との合流位置よりも上流側に位置し、ノズルホルダ３の大径部３５に設けられている（図３参照）。このオリフィス板７は、ドーム状絞り部４７を備え、このドーム状絞り部４７の頂部には、上流側から薬液を受けて混合室２７に薬液を供給するピンホール４９が形成されている。このピンホール４９は、本例では径が０．３ｍｍに形成されている。なお、ピンホール径は、適宜変更することができる。
【００２９】
オリフィス中子９は、略円板状をなしており、オリフィス板７よりもノズルホルダ３の流路２９の上流側に位置し、ノズルホルダ３の大径部３５に設けられている（図３参照）。このオリフィス中子９は、外周面に薬液流路５１及び第１突起部５３（図３（ｂ）参照）が形成され、上流側の表面に第２突起部５５が形成されている。薬液流路５１は、ノズルホルダ３の流路２９の延長方向軸に対して傾斜するよう形成され（図３（ｂ）及び図４参照）、周方向に１８０°間隔を置いて設けられている。第１突起部５３は、外周の一部から径方向外側に向けて延びており（図３（ｂ）参照）、オリフィス中子９をノズルホルダ３の大径部３５に装着した後、オリフィス中子９が大径部３５から脱落を防止するためのものである。第２突起部５５には、オリフィス中子９を取外す際に、使用者が指を引掛けるための引掛け部５５ａが形成されている。
【００３０】
先噴板１１は、略円板であり、ノズルホルダ３の先端側に配置されている。この先噴板１１は、筋状絞り部５７と、スリット５９と、を備えている。筋状絞り部５７は、下流側に向けて筋状に突出し、整流中子５の一対の第１の位置決め突起部４１，４１と係合する係合部５７ａが形成されている。スリット５９は、筋状絞り部５７の長手方向の略中央において、筋状絞り部５７を横切るようにして、筋状絞り部５７の延長方向と直交する方向に少なくとも筋状絞り部５７の頂点部分を分断する態様で形成されている。
【００３１】
ノズルキャップ１３は、略円筒状をなしており、ノズルホルダ３の先端に先噴板１１を保持するものである。このノズルキャップ１３には、ノズルホルダ３の流路２９を流れる混合流体の圧力によって、先噴板１１がノズルキャップ３から抜けないように、先端側の内周部から径方向内側に延びる環状の突起部６１が形成されている（図３参照）。また、ノズルキャップ１３の内周部には、ノズルホルダ３の雄ねじ部２１に螺合する雌ねじ部６３が形成されている（図３及び図４参照）。また、ノズルホルダ３の先端側の端面と先噴板１１との間に、かつ、整流中子５の外周部を取り囲むようにしてＯリング１５が配置され、このＯリング１５により、ノズルホルダ３と先噴板１１との間の液漏れを防いでいる。
【００３２】
連結具１７は、略円筒状をなしており、これによって、ノズルホルダ３と供給管１９とが連結される。この連結具１７には、供給管１９を流れる薬液の圧力によって、ノズルホルダ３が連結具１７から抜けることのないように、先端側の内周部から径方向内側に延びて、ノズルホルダ３のフランジ部２５に当接する環状の突起部６５が形成されている（図３参照）。また、連結具１７の内周部には、供給管１９の雄ねじ部６８に螺合する雌ねじ部６９が形成されている。薬液タンク等（図示省略）から供給される薬液は、供給管１９を介して、ノズルホルダ３の流路２９に供給されるものであり、この供給管１９とノズルホルダ３との連結部には、薬液内に固形物が混入した場合に、それをろ過するフィルタ６７が設けられている。
【００３３】
次に、本発明の第１実施形態に係る噴霧ノズル１Ａにおける薬液及び混合流体の流れについて、以下に説明する。
まず、薬液タンク等から供給され、供給管１９を流れる薬液は、フィルタ６７を通過した後、ノズルホルダ３の大径部３５に向かって流込む（図３（ａ）及び（ｂ）の矢印ａ参照）。続いて、薬液は、オリフィス中子９の薬液流路５１を通過して、オリフィス板７のドーム絞り部４７内へと流れる（図３（ａ）及び（ｂ）の矢印ｂ参照）。このとき、薬液は、薬液流路５１を通過することで、旋回流となって、ドーム絞り部４７内に流込む（図３（ａ）及び（ｂ）の矢印ｃ参照）。そして、薬液がオリフィス板７のピンホール４９を通過し、混合室２７の円筒部２７ａ内に流込む。この際、薬液は、導入路３１から導入された空気と混合されながら、流路２９に流れて行く（図３（ａ）及び（ｂ）の矢印ｄ参照）。しかも、ピンホール４９を通過した薬液は、旋回流を維持しながら円筒部４７内に流込むため、導入路３１から円筒部２７ａへと導入される空気の流れが安定し、噴霧ノズル１Ａから噴霧される泡状粒子の粒子径やその噴霧パターンの安定化に寄与するものとなる。そして、流路２９を流れる混合流体は、続いて整流中子５の案内流路３７，３７を通過する（図３（ａ）の矢印ｅ参照）。このとき、混合流体が整流中子５の隆起部４３に衝突することで、混合流体の流れ方向が変化し、案内流路３７，３７へと導かれる。そして、案内流路３７，３７を流れる混合流体は、整流突起部３９と先噴板１１の筋状絞り部５７との間隙を通過し（図３（ａ）の矢印ｆ参照）、スリット５９を介して外部に噴霧される（図３（ａ）及び（ｂ）の矢印ｇ参照）。なお、先噴板１１のスリット５９から噴霧された混合流体の噴霧パターンは、本実施形態では、噴霧ノズル１Ａの正面視で約１００°の角度からなる扇状乃至扇面状に噴霧される（図５参照）。
【００３４】
さて、上記構成を有する第１実施形態の噴霧ノズル１Ａによれば、次のような作用効果を得ることができる。すなわち、噴霧ノズル１Ａの先端側においては、先噴板１１とノズルホルダ３との間に、配置された整流中子５に先噴板１１のスリット５９へと案内する複数の案内流路３７，３７が形成されていることから、この複数の案内路３７，３７を介して、ノズルホルダ３の流路２９を流れる混合流体が先噴板１１のスリット５９に向かって案内される。また、噴霧ノズル１Ａは、先噴板１１に下流側に向けて筋状に突出する筋状絞り部５７が形成され、この筋状絞り部５７にスリット５９が形成されていることで、整流中子５の複数の案内流路３７，３７を流れる混合流体は、筋状絞り部５７に集まり、スリット５９を介して、噴霧ノズル１Ａの外部へと噴霧されることとなる。
【００３５】
噴霧ノズル１Ａにおいて、整流中子５には、筋状絞り部５７に形成されたスリット５９に向けて先端幅が縮小する整流突起部３９が形成されていることから、整流中子５の複数の案内流路３７，３７を通過してスリット５９に向かう混合流体は、複数の案内流路３７，３７を構成する壁面の下流側に配置された、整流突起部３９を構成する壁面に沿って案内され、筋状絞り部５７に向けて円滑に流れて行くことが可能となる。更に、スリット５９を通過した混合流体は、粒子径のばらつきが少ない、すなわち、ドリフトの影響を受け易い過剰に微細な噴霧粒子の割合や、拡散し難い過剰に粒子径の大きな噴霧粒子の割合が少なく、噴霧に適した粒子径を大部分とする噴霧粒子となって、噴霧ノズル１Ａの外部へと噴霧される。これにより、噴霧ノズル１Ａを除草剤の噴霧に用いる場合には、風などの気象条件の影響を受けることなく、広範囲に適量の除草剤を噴霧して、除草効果を高めることが可能となる。
【００３６】
更に、噴霧ノズル１Ａの基端部においては、混合室２７の円筒部２７ａと導入路３１との合流位置よりも流路２９の上流側に配置されたオリフィス板７に、ピンホール４９が形成されていることから、オリフィス板７の上流側の薬液は、ピンホール４９を介して混合室２７の円筒部２７ａ内に供給される。また、薬液は、オリフィス板７よりも流路の上流側に位置するオリフィス中子９の薬液流路５１，５１を介してオリフィス板７へと供給され、オリフィス板７に形成された下流側へ向けてドーム状に突出するドーム状絞り部４７のドームの頂に薬液が集まる。これのより、ドーム状絞り部４７の頂部に形成されたピンホール４９からノズルホルダ３の混合室２７の円筒部２７ａに向かって円滑に流込むこととなる。このため、導入路３１から円筒部２７ａへと導入される空気の流入状態が、円筒部２７ａ内の薬液の流れの乱れによって阻害されることなく安定する。よって、円筒部２７ａに流入した薬液と空気とが一定の割合で混合され、混合流体は、混合室２７の下流の流路２９へと送り込まれることとなる。このように、混合室２７において、薬液と空気との割合が安定した混合流体を作り出すことで、最終的に先噴板１１のスリット５９から、泡状粒子の態様で噴霧ノズル１Ａの外部へと噴霧される混合流体の、粒子径やその噴霧パターンの安定化に寄与するものとなる。
【００３７】
また、噴霧ノズル１Ａにおいて、オリフィス中子９の薬液流路５１，５１がノズルホルダ３の流路２９の延長方向軸に対して傾斜するように形成されていることで、薬液流路５１，５１を通った薬液は、薬液流路通過前の流れ状態の如何にかかわらず、薬液流路によって流れ方向が矯正され、オリフィス中子９の下流側で旋回流となる。この旋回流は、オリフィス板７のドーム状絞り部４７のドーム内でも維持され、オリフィス板７のピンホール４９から混合室２７へと流れる薬液の流れが整流されることで、上述のごとく、混合室２７の円筒部２７ａにおける薬液と空気との混合状態を安定させることが可能となる。
【００３８】
また、噴霧ノズル１Ａにおいて、整流中子５は、整流突起部３９の係合面が筋状絞り部５７の凹面と係合し、なおかつ、筋状絞り部５７の凹面と係合する一対の第１の位置決め突起部４１，４１を整流中子５と離間した位置に備えていることから、一対の第１の位置決め突起部４１，４１と筋状絞り部５７の凹面との係合により、複数の位置で、整流中子５と先噴板１１との位置決めが行われることが可能となる。これにより、筋状絞り部５７に形成されたスリット５９と、整流中子５に形成された整流突起部３９との位置合わせが高精度になされ、上述の作用効果がより安定確実に得られるものとなる。
【００３９】
また、噴霧ノズル１Ａにおいて、ノズルホルダ３に複数の位置決め穴３３，３３を形成し、整流中子５に一対の第２の位置決め突起部４５，４５を形成することで、ノズルホルダ３と整流中子５との位置ずれを防ぎ、また、整流中子５がノズルホルダ３からの脱落を防ぐことが可能となる。
【００４０】
次に、本発明の第２実施形態の噴霧ノズル１Ｂについて、図６〜図９を参照して説明する。なお、以下の説明において、上記第１実施形態の噴霧ノズル１Ａに対して、同様の部分には同じ参照符号を用いて、異なる部分についてのみ詳細に説明する。
【００４１】
図７及び図８に示すように、第２実施形態の噴霧ノズル１Ｂは、混合流体を二方向に噴霧するものであり、第１実施形態に係るノズルホルダ３の代わりに、第１ノズルホルダ７１（ノズルホルダ）と、第２ノズルホルダ７３と、を備えている。第１ノズルホルダ７１は、第２ノズルホルダ７３にいわゆるムリバメ、すなわち、第１ノズルホルダ７１の先端側を第２ノズルホルダ７３の接続部７７（後述参照）の内周部に圧入した際、第１ノズルホルダ７１の第１環状係止部７４（後述参照）が第２ノズルホルダ７３の第２環状係止部７６（後述参照）によって弾性変形し、第１ノズルホルダ７１が所定の位置まで圧入されることで、第１環状係止部７４の形状が弾性復帰して、第１環状係止部７４と第２環状係止部７６とが係合し、第２ノズルホルダ７３に連結される（図７参照）。第１ノズルホルダ７１の先端側の外周部には、円錐台状をなして、基端側に向かうにしたがい径方向外側に突出する第１環状係止部７４が形成されている。また、第１ノズルホルダ７１は、流路７２と、空気の導入路３１と、オリフィス板７及びオリフィス中子９を収納する大径部３５と、オリフィス板７のドーム状絞り部４７を収納する収納部７５と、を備えている。導入路３１は、第１ノズルホルダ７１の外壁部から上流側の流路７２と収納部７５との連続位置に向かって開口するように、形成されている。第２ノズルホルダ７３は、第１ノズルホルダ７１の先端側の外周部に接続される接続部７７と、この接続部７７から二股に分岐して形成された第１分岐流路８１及び第２分岐流路８３を有する分岐部７９と、を備えている。接続部７７の内周部には、第１環状係止部７４のムリバメ時に第１環状係止部７４の弾性変形を促すと共に、ムリバメ完了時に、第１環状係止部７４に係合するための、径方向内側に帯状に一定径で突出する第２環状係止部７６（図７参照）が形成されている。また、接続部７７の内周部には、第１環状係止部７４を収容するための、第１環状係止部７４と相補的な形状を有するテーパ部８０（図７参照）が形成されている。分岐部７９の下流側先端の外周部には、ノズルキャップ１３の雌ねじ部６３と螺合する雄ねじ部７８が形成されており、分岐部７９の下流側先端に整流中子５、先噴板１１、ノズルキャップ１３及びＯリング１５が装着されている。分岐部７９の第１分岐流路８１及び第２分岐流路８３は、所定の角度で分岐し、それぞれが第１ノズルホルダ７１の流路７２に連通されている。
【００４２】
次に、本発明の第２実施形態に係る噴霧ノズル１Ｂにおける薬液及び混合流体の流れについて、以下に説明する。
薬液タンク等から供給され、供給路１９を流れる薬液は、第１実施形態と同様に、オリフィス中子９の薬液流路５１及びオリフィス板７のピンホール４９を通り（図７の矢印ａ及びｂ参照）、ピンホール４９を通過した薬液は、旋回状態を維持しながら（図７の矢印ｃ参照）、上流側の流路７２と収納部７５との連通位置で、導入路３１から導入された空気と混同される。そして、薬液と空気が混合された混合流体は、流路７２及び第２ノズルホルダ７３の第１分岐流路８１及び第２分岐流路８３に、各々分岐して流入する（図７の矢印ｄ及びｅ参照）。そして、第１分岐流路８１及び第２分岐流路８３を各々流れる混合流体は、第１実施形態と同様に、案内流路３７，３７及び整流突起部３９と筋状絞り部５７との間隙を通って（図３（ａ）の矢印ｅ及びｆ参照）、スリット５９から外部に噴霧される（図７の矢印ｆ参照）。第１分岐流路８１及び第２分岐流路８３を流れる混合流体が、先噴板１１のスリット５９から噴霧されたときの噴霧パターンは、図９に示されているように、噴霧ノズル１Ｂの正面視で各々約５０°の角度からなる扇状乃至扇面状に噴霧され、全体で約９５°の角度からなる扇状乃至扇面状に噴霧される。
【００４３】
以上、第２実施形態の噴霧ノズル１Ｂによれば、以下のような作用効果を奏するものとなる。
すなわち、第２実施形態では、第２ノズルホルダ７３が二股に分岐して形成されているため、第１ノズルホルダ７１の流路７２を流れる混合流体は、第１分岐流路８１及び第２分岐流路８３の各々に分岐されて、第１分岐流路８１及び第２分岐流路８３の各々を通過し、先噴板１１，１１のスリット５９，５９から互いに異なる方向へと同時に散布することが可能となる。更に、噴霧ノズル１Ｂは、第１ノズルホルダ７１の上流側にオリフィス板７及びオリフィス中子９を配備し、第２ノズルホルダ８３の下流側先端に整流中子５、先噴板１１、ノズルキャップ１３及びＯリング１５を装着していることから、第１分岐流路８１及び第２分岐流路８３の各々おいて、上記第１実施形態と同様の作用効果を得ることが可能となる。
【００４４】
なお、第１及び第２実施形態に係る噴霧ノズル１Ａ，１Ｂは、オリフィス中子９の薬液流路５１がノズルホルダ３又は第１ノズルホルダ７１の流路２９，７２の延長方向軸に対して傾斜するよう２つ形成されているが、１つ又は３つ等の流路の数を変更してもよい。また、薬液流路５１，５１がオリフィス中子９の外周面に斜め溝として形成されているが、オリフィス中子９の、外周面より内側の部分において、上流側の表面から下流側の表面に斜めに貫通するように形成してもよい。
【００４５】
更に、第１及び第２実施形態に係る噴霧ノズル１Ａ，１Ｂでは、薬液流路５１，５１が斜め溝であるが、薬液流路５１，５１の位置とオリフィス板７のドーム状絞り部４７のドーム形状との相互関係によって、ドーム絞り部４７の薬液の流れが適切に整流され、オリフィス板７のピンホール４９を通過する薬液と空気との割合が安定した混合流体を作り出すことが得られるような場合には、この薬液流路５１，５１をノズルホルダ３又は第１ノズルホルダ７１の軸方向に延びる、１つ或いは複数の孔としてもよい。また、斜め溝の薬液流路５１，５１と、ノズルホルダ３又は第１ノズルホルダ７１の軸方向に延びる薬液流路５１，５１と、をオリフィス中子９に形成してもよい。
【符号の説明】
【００４６】
１Ａ，１Ｂ…噴霧ノズル、３…ノズルホルダ、５…整流中子、７…オリフィス板、９…オリフィス中子、２７…混合室、２９…流路、３７…案内流路、３９…整流突起部、４７…ドーム状絞り部、４９…ピンホール、５１…薬液流路、５７…筋状絞り部、５９…スリット
【図１】
2019025432.tif 000003
【図２】
2019025432.tif 000004
【図３】
2019025432.tif 000005
【図４】
2019025432.tif 000006
【図５】
2019025432.tif 000007
【図６】
2019025432.tif 000008
【図７】
2019025432.tif 000009
【図８】
2019025432.tif 000010
【図９】
2019025432.tif 000011
【図１０】
2019025432.tif 000012